(57)【要約】【課題】  剛な一体壁面工を有するジオシンセティック補強土擁壁を津波防御施設（防潮堤・海岸堤防・河口近くの河川堤防等）の上流側表のり面被覆工に、かつ、連続したハニカム構造のセル構造体と面状補強材を用いたハニカム構造体と面状補強材による盛土補強土工法による防潮堤防の構築方法を提供する。【解決手段】  ハニカム構造体と面状補強材による盛土補強土工法による防潮堤防の構築方法において、基礎地盤１０上に構築された堤体盛土１４と、波返工を有する表のり面被覆工１１、天端被覆工１５、裏のり面被覆工１２による三面張りのコンクリート工１１，１５，１２を備え、上流側の前記表のり面被覆工１１に剛な一体壁面工を有するコンクリート補強土擁壁を構築し、さらに下流側の前記裏のり面被覆工１２に連続したハニカム構造のジオセル構造体からなる雛壇型のジオシンセティック補強盛土工を構築する。【選択図】  図３
2014091915.tif 000002
【特許請求の範囲】
【請求項１】
基礎地盤上に構築された堤体盛土と、波返工を有する表のり面被覆工、天端被覆工、裏のり面被覆工による三面張りのコンクリート工を備え、上流側の前記表のり面被覆工に剛な一体壁面工を有するコンクリート補強土擁壁を構築し、さらに下流側の前記裏のり面被覆工に連続したハニカム構造のジオセル構造体からなる雛壇型のジオシンセティック補強盛土工を構築することを特徴とするハニカム構造体と面状補強材による盛土補強土工法による防潮堤防の構築方法。
【請求項２】
請求項１記載のハニカム構造体と面状補強材による盛土補強土工法による防潮堤防の構築方法において、前記下流側に配置される前記ハニカム構造のジオセル構造体は、ジオセルを連続的に複数段に重ね、前記ジオセル内に縦方向および横方向鉄筋類を通して隣接するジオセル同士を一体化し、剛性を高めるように構成することを特徴とするハニカム構造体と面状補強材による盛土補強土工法による防潮堤防の構築方法。
【請求項３】
請求項２記載のハニカム構造体と面状補強材による盛土補強土工法による防潮堤防の構築方法において、前記複数段に重ねたジオセルの間に面状補強材であるジオテキスタイルを前記表のり面被覆工と前記裏のり面被覆工と一体化して敷設し、さらに該ジオテキスタイルのハトメもしくは格子間にＵ字筋を通し、前記ジオセル内に通してある前記縦方向および横方向鉄筋類と連結することを特徴とするハニカム構造体と面状補強材による盛土補強土工法による防潮堤防の構築方法。
【請求項４】
請求項２又は３記載のハニカム構造体と面状補強材による盛土補強土工法による防潮堤防の構築方法において、前記ジオセルの中詰め材として後ろ側のジオセル内にはコンクリートを充填し、コンクリート構造体として機能させ、前面側のジオセル内には植生土のう、もしくは種子混入ポーラスコンクリートを充填して緑化体として機能させることを特徴とするハニカム構造体と面状補強材による盛土補強土工法による防潮堤防の構築方法。
【請求項５】
請求項４記載のハニカム構造体と面状補強材による盛土補強土工法による防潮堤防の構築方法において、前記緑化体と前記コンクリート構造体が同じ工程内で一体形成されることを特徴とするハニカム構造体と面状補強材による盛土補強土工法による防潮堤防の構築方法。
【請求項６】
請求項４記載のハニカム構造体と面状補強材による盛土補強土工法による防潮堤防の構築方法において、前記緑化体を構成する植生土のうが越流波の浮揚力によって剥ぎとられないように、前記植生土のうを前記鉄筋類に巻き込むように充填することを特徴とするハニカム構造体と面状補強材による盛土補強土工法による防潮堤防の構築方法。
【請求項７】
請求項１から６の何れか一項記載のハニカム構造体と面状補強材による盛土補強土工法による防潮堤防の構築方法において、前記裏のり面被覆工及びそののり尻部に水叩き工として前記ジオセルを延長して敷設することを特徴とするハニカム構造体と面状補強材による盛土補強土工法による防潮堤防の構築方法。
【請求項８】
請求項２から７の何れか一項記載のハニカム構造体と面状補強材による盛土補強土工法による防潮堤防の構築方法において、前記裏のり面被覆工の水叩き部は、複数枚の押圧板をナットで締結する頭部処理をした前記ジオセルをアンカーで固定することを特徴とするプラスチックハニカム構造体と面状補強材による盛土補強土工法による防潮堤防の構築方法。
【請求項９】
請求項２から８の何れか一項記載のハニカム構造体と面状補強材による盛土補強土工法による防潮堤防の構築方法において、前記裏のり面被覆工に沿って前記ジオセルを敷設する場合は、前記ジオテキスタイル側から前記ジオセル内でＵ字クリップで固定することを特徴とするハニカム構造体と面状補強材による盛土補強土工法による防潮堤防の構築方法。
【請求項１０】
請求項９記載のハニカム構造体と面状補強材による盛土補強土工法による防潮堤防の構築方法において、前記ジオテキスタイルは、前記裏のり面被覆工側に延長しておくようにしたことを特徴とするハニカム構造体と面状補強材による盛土補強土工法による防潮堤防の構築方法。
【発明の詳細な説明】
【技術分野】
【０００１】
本発明は、ジオシンセティック補強盛土工法による河川・海岸用耐震・耐津波防潮堤の構築方法に係り、特に、ハニカム構造体と面状補強材による盛土補強土工法による防潮堤防の構築方法に関するものである。
【背景技術】
【０００２】
鉄道・道路、宅地造成地などで構築されている盛土補強土壁工法の中の「剛な一体壁面を活用したジオシンセティック補強土擁壁」（通称ＲＲＲ−Ｂ工法）は、剛で一体な壁面工をジオシンセティック補強盛土の施工後に場所打ちコンクリートを打設して構築している。このＲＲＲ−Ｂ工法による剛で一体な壁面工を持つジオシンセティック補強土擁壁は、既に１９９５年の阪神淡路大震災で耐震性が高いことが証明されていた。
【０００３】
加えて、剛で一体な壁面工を持つジオシンセティック補強土擁壁、およびこれを橋台とした補強土橋台が仙台付近、一ノ関付近、および盛岡付近で少なからず構築されていたが、今回の２０１１年東日本大震災においてもすべて無被害であり、改めて高い耐震性を有することが再び証明された。
一方、今回の東日本大震災においては、巨大津波により従来工法で構築されていた防波堤・防潮堤・海岸堤防・河口近くの河川堤防等の多くが壊滅的に破壊した。
【０００４】
２０１１年東日本大震災での甚大な被害の多くは、従来の内陸型地震とは異なり東日本の太平洋沿岸部を襲った巨大津波によるものであった。この巨大津波に対して、従来の津波防御施設（防波堤・防潮堤・海岸堤防・河口近くの河川堤防等）は、津波高さが想定高さを超える程度までは機能していたが、その多くは、巨大津波として押し寄せてきた津波の高さがこれらの施設高さを遥か超えてから越流・侵食・洗掘等によって基礎地盤とともに崩壊してしまっている。
【０００５】
従来の盛土形式の防潮堤（下記非特許文献４参照）は、図１０に示すように、基礎地盤１０１に構築された堤体盛土１０２、波返工１０４を有する表のり面被覆工１０３、天端被覆工１０５、裏のり面被覆工１０６による三面張りのコンクリート工により構成されている。
しかしながら、このような防潮堤では、図１１に示すような越流した津波Ａ1 〜Ａ4 が下流側（陸側）の裏のり面被覆工１０６を急速に流下する際に生じる強烈な揚力Ｆにより〔津波は裏のり面被覆工１０６の近くを流れる津波Ａ1 ほどその上側を流れる津波Ａ2 〜Ａ4 より流速Ｖが早く（Ｖ1 ＞Ｖ2 ＞Ｖ3 ＞Ｖ4 ）なり強烈な揚力Ｆを生じる〕、堤体盛土１０２に固定されていない天端被覆工１０５と下流側裏のり面被覆工１０６の最上段の被覆工がまず剥ぎ取られ、そこから堤体盛土１０２の侵食が開始されて、下流側基礎地盤の洗掘も生じて下流側裏のり面被覆工１０６が崩壊し、やがて引き波等によって全断面が喪失したと思われる例が多かった。
【先行技術文献】
【非特許文献】
【０００６】
【非特許文献１】龍岡文夫：「２０１１年東日本大震災からの復旧・復興での補強土構造物，ＲＲＲ工法協会だより，Ｎｏ．１３，２０１１年０８月
【非特許文献２】地震工学会：「地震時における地盤災害の課題と対策−２０１１年東日本大震災からの教訓と提言」（第１次），２０１１年７月
【非特許文献３】日経コンストラクション，ｐｐ．３４〜４３，２０１１．１０．２４
【非特許文献４】海岸保全施設技術研究会編：「海岸保全施設の技術上の基準・同解説」、平成１６年６月
【発明の概要】
【発明が解決しようとする課題】
【０００７】
図１２及び図１３には、２０１１年東日本大震災での従来の盛土形式の防潮堤の被害例が示されている。
従来の盛土形式の防潮堤の構造上の最大の欠点は、上記したように、表のり面被覆工、天端被覆工、裏のり面被覆工からなる三面張りコンクリート工が固定されていないことと、さらに堤体盛土が無補強であるためコンクリート工の喪失後に越流による侵食に対する抵抗力が小さいことである。
【０００８】
図１２には、天端被覆工のコンクリートスラブと下流側裏のり面被覆工の最上段のコンクリート工がはぎ取られた防潮堤（大船渡市三陸町越喜来漁港付近）が示されており、図１３には、天端被覆工のコンクリートスラブが移動し下流側裏のり面被覆工の最上段の被覆工のコンクリート工がはぎ取られた防潮堤（宮古南津軽石付近）が示されている。これらの箇所の延長上では全断面が消失した箇所がある。
【０００９】
そこで、震災復興の過程で、海岸保全施設で防ぐ津波の高さの設定方法等は見直され、海岸堤防の高さを決める際に必要な『設計津波』の水位の設定方法は変わり、場所によっては大幅に高くなり、また、設計津波を超える高さの津波に襲われても直ちに全壊しないような『ねばり強い構造』を目指す方針が示されている。
その方法として、以下に示すような方法が提案されている。１９５３年の台風１３号によって三重県や愛知県の伊勢湾沿岸では土堤が崩れ甚大な被害が発生したのを契機にコンクリートの三面張りを採用し、１９５９年の伊勢湾台風ではこの三面張りは壊れなかったという事実から、津波が越流しても堤体は流出せず、裏のり面被覆工の尻部が洗掘されないようにするために、
（１）図１４に示すように、裏のり面被覆工２０６の尻部にコンクリートなどの被覆２０７を施す
（２）図１５に示すように、裏のり面被覆工２０６へ盛土２０８を施す
（３）図１６に示すように、表のり面被覆工２０４へ消波工２０９や根固め工２１０を設置する
（４）図１７に示すように、裏のり面被覆工２０６への被覆２１１により天端幅２１２を拡大する
などが提案されている。なお、これらの提案においても図１０と同様に基礎地盤２０１に構築された堤体盛土２０２、波返工２０４を有する表のり面被覆工２０３、天端被覆工２０５、裏のり面被覆工２０６による三面張りのコンクリート工が構成されている。
【００１０】
しかしながら、上記各提案においても、図１１に示したように、越流した津波が下流側（陸側）の裏のり面被覆工２０６を急速に流下する際に生じる強烈な揚力により、堤体盛土２０２に固定されていない天端被覆工２０５と下流側裏のり面被覆工２０６の最上段の被覆工２０６Ａがまず剥ぎ取られ、そこから補強されていないため抵抗力が弱い堤体盛土２０２の侵食が開始されて、やがて引き波等によって全断面が喪失することが想定されるため、これらの対策だけでは効果的に機能しない。
【００１１】
また、堤体盛土２０２は補強されていないため必要な耐震性を確保するのが難しい。さらに、長期にわたる波浪・豪雨等による堤体盛土２０２内からの浸透流のため堤体盛土の盛土材が吸い出される可能性があるといった問題があった。
本発明は、上記状況に鑑みて、津波防御施設（防潮堤・海岸堤防・河口近くの河川堤防等）の上流側護岸工が急勾配の場合には、上流側表のり面に剛な一体壁面工を有するジオシンセティック補強土擁壁を用い、かつ、のり面勾配の緩い下流側ののり面工として連続したハニカム構造のセル構造体を用いることによって盛土内に敷設した面状補強材と連結・一体化することを特徴とするハニカム構造と面状補強材による盛土補強土工法による堤潮堤防の構築方法を提供することを目的とする。
【課題を解決するための手段】
【００１２】
本発明は、上記目的を達成するために、
〔１〕ハニカム構造体と面状補強材による盛土補強土工法による防潮堤防の構築方法において、基礎地盤上に構築された堤体盛土と、波返工を有する表のり面被覆工、天端被覆工、裏のり面被覆工による三面張りのコンクリート工を備え、上流側の前記表のり面被覆工に剛な一体壁面工を有するコンクリート補強土擁壁を構築し、さらに下流側の前記裏のり面被覆工に連続したハニカム構造のジオセル構造体からなる雛壇型のジオシンセティック補強盛土工を構築することを特徴とする。
【００１３】
〔２〕上記〔１〕記載のハニカム構造体と面状補強材による盛土補強土工法による防潮堤防の構築方法において、前記下流側に配置される前記ハニカム構造のジオセル構造体は、ジオセルを連続的に複数段に重ね、前記ジオセル内に縦方向および横方向鉄筋類を通して隣接するジオセル同士を一体化し、剛性を高めるように構成することを特徴とする。
〔３〕上記〔２〕記載のハニカム構造体と面状補強材による盛土補強土工法による防潮堤防の構築方法において、前記複数段に重ねたジオセルの間に面状補強材であるジオテキスタイルを前記表のり面被覆工と前記裏のり面被覆工と一体化して敷設し、さらにこのジオテキスタイルのハトメもしくは格子間にＵ字筋を通し、前記ジオセル内に通してある前記縦方向および横方向鉄筋類と連結することを特徴とする。
【００１４】
〔４〕上記〔２〕又は〔３〕記載のハニカム構造体と面状補強材による盛土補強土工法による防潮堤防の構築方法において、前記ジオセルの中詰め材として後ろ側のジオセル内にはコンクリートを充填し、コンクリート構造体として機能させ、前面側のジオセル内には植生土のう、もしくは種子混入ポーラスコンクリートを充填して緑化体として機能させることを特徴とする。
【００１５】
〔５〕上記〔４〕記載のハニカム構造体と面状補強材による盛土補強土工法による防潮堤防の構築方法において、前記緑化体と前記コンクリート構造体が同じ工程内で一体形成されることを特徴とする。
〔６〕上記〔４〕記載のハニカム構造体と面状補強材による盛土補強土工法による防潮堤防の構築方法において、前記緑化体を構成する植生土のうが越流波の浮揚力によって剥ぎとられないように、前記植生土のうを前記鉄筋類に巻き込むように充填することを特徴とする。
【００１６】
〔７〕上記〔１〕から〔６〕の何れか一項記載のハニカム構造体と面状補強材による盛土補強土工法による防潮堤防の構築方法において、前記裏のり面被覆工及びそののり尻部に水叩き工として前記ジオセルを延長して敷設することを特徴とする。
〔８〕上記〔２〕から〔７〕の何れか一項記載のハニカム構造体と面状補強材による盛土補強土工法による防潮堤防の構築方法において、前記裏のり面被覆工の水叩き部は、複数枚の押圧板をナットで締結する頭部処理をした前記ジオセルをアンカーで固定することを特徴とする。
【００１７】
〔９〕上記〔２〕から〔８〕の何れか一項記載のハニカム構造体と面状補強材による盛土補強土工法による防潮堤防の構築方法において、前記裏のり面被覆工に沿って前記ジオセルを敷設する場合は、前記ジオテキスタイル側から前記ジオセル内でＵ字クリップで固定することを特徴とする。
〔１０〕上記〔９〕記載のハニカム構造体と面状補強材による盛土補強土工法による防潮堤防の構築方法において、前記ジオテキスタイルは、前記裏のり面被覆工側に延長しておくようにしたことを特徴とする。
【発明の効果】
【００１８】
本発明によれば、次のような効果を奏することができる。
（１）上流側の前記表のり面被覆工に剛な一体壁面工を有するコンクリート補強土擁壁を構築し、さらに下流側の前記裏のり面被覆工に連続したハニカム構造のジオセル構造体からなる雛壇型のジオシンセティック補強盛土工を構築することによって、洗掘防止工となるように構成した。
【００１９】
また、三面張りのコンクリートと堤体盛土とを一体化することによって、巨大津波等が防潮堤を越流したとしても天端被覆工（コンクリート工）と上下流側のり面被覆工（コンクリート工）が剥ぎ取られることはない。そのため、堤体盛土の盛土材が流出しない。また、仮にコンクリート被覆工が破損した場合でも、堤体盛土は多層面状補強材で補強されているので浸食に対しての抵抗力がある。このため、防潮堤の機能が失われない。
【００２０】
（２）三面張りコンクリート、堤体盛土、水叩き部を一体化することによって、防潮堤防全体として壊滅的な破壊に至ることがない。そのため復旧工事も容易になる。
【図面の簡単な説明】
【００２１】
【図１】本発明の第１実施例を示すジオシンセティック補強盛土工法による河川・海岸用耐震・耐津波防潮堤防の構築における立体ハニカム構造体であるジオセルに孔を開け、隣接するジオセルを連結するための鉄筋類を通したときの斜視図である。
【図２】本発明の第１実施例を示すジオセルに孔を開け、ジオセルの水平・鉛直両方向に鉄筋類を通して隣接する複数個のジオセルを連結し格子状にした状態を示す斜視図である。
【図３】本発明の第１実施例を示すジオシンセティック（ジオセル）を用いた防潮堤防の下流側の裏のり面被覆工が緩勾配の場合の模式図である。
【図４】本発明の第２実施例を示すハニカム構造体による盛土補強土壁の壁面の構築における立体ハニカム構造のジオシンセティックス（ジオセル）を複数段重ねて、盛土内に敷設される面状補強材と連結させるために、ジオテキスタイルのハトメ、もしくは格子内にＵ字筋を通したときの斜視図である。
【図５】本発明の第３実施例を示すハニカム構造体による盛土補強土壁の壁面の構築における立体ハニカム構造のジオシンセティックス（ジオセル）に、あらかじめ開けておいた孔に縦および横方向の両方向に鉄筋類を挿入し、図４記載のＵ字筋と連結させたときの斜視図である。
【図６】本発明の第４実施例を示すハニカム構造体による盛土補強土壁の壁面の構築における立体ハニカム構造のジオシンセティックス（ジオセル）の中詰め材として植生土のうを用いた場合に越流波によって剥ぎとられないように図５記載の鉄筋類に巻き込むときの斜視図である。
【図７】本発明の第４実施例を示す裏のり面被覆工の所定ののり勾配を形成するために上部ジオセルをセットバックさせた状態を示す斜視図である。
【図８】本発明の第４実施例を示す水叩き部のジオセルとアンカー頭部との固定方法の説明図である。
【図９】本発明の第５実施例として裏のり面の勾配が緩い場合にのり面に沿ってジオセルを敷設する場合の面状補強材との連結方法の斜視図である。
【図１０】従来の防潮堤の模式図である。
【図１１】防潮堤の破壊の説明図である。
【図１２】防潮堤の破壊例（その１）を示す図面代用写真である。
【図１３】防潮堤の破壊例（その２）を示す図面代用写真である。
【図１４】従来の防潮堤の破壊を防ぐ提案例（その１）を示す模式図である。
【図１５】従来の防潮堤の破壊を防ぐ提案例（その２）を示す模式図である。
【図１６】従来の防潮堤の破壊を防ぐ提案例（その３）を示す模式図である。
【図１７】従来の防潮堤の破壊を防ぐ提案例（その４）を示す模式図である。
【発明を実施するための形態】
【００２２】
本発明のプラスチックハニカム構造による盛土補強土壁の壁面の構築方法は、基礎地盤上に構築された堤体盛土と、波返工を有する表のり面被覆工、天端被覆工、裏のり面被覆工による三面張りのコンクリート工を備え、上流側の前記表のり面被覆工に剛な一体壁面工を有するコンクリート補強土擁壁を構築し、さらに下流側の前記裏のり面被覆工に連続したハニカム構造のジオセル構造体からなる雛壇型のジオシンセティック補強盛土工を構築する。
【実施例】
【００２３】
以下、本発明の実施の形態について詳細に説明する。
以下、具体的なジオシンセティックス補強盛土工法による河川・海岸用耐震・耐津波防潮堤防の構築方法について説明する。
図１は本発明の第１実施例を示すジオシンセティック補強盛土工法による河川・海岸用耐震・耐津波防潮堤防の構築における立体ハニカム構造体であるジオセルに孔を開け、隣接するジオセルを連結するための鉄筋類を通したときの斜視図である。図２はそのジオセルに鉄筋類を通して隣接する複数個のジオセルを連結し、格子状にした状態を示す斜視図、図３はそのジオシンセティックス（ジオセル）を用いた防潮堤防の下流側の裏のり面被覆工が緩勾配の場合の模式図である。
【００２４】
図１において、１は立体ハニカム構造体であるジオシンセティックスのジオセル、２はそのセル１の水平方向に開けられた孔であり、この孔２は上下、左右に任意の位置で任意の数とする。３は孔２に通された鉄筋類である。なお、ジオセル１の材質としては、例えば、プラスチックが挙げられる。
図２に示すように、ジオセル１の孔２に鉄筋類３を通して隣接する複数個のジオセルを連結し、格子状に形成する。図２では図示されていないが、鉄筋類３は水平・鉛直両方向に通されているものとする。
【００２５】
図３に示すように、基礎地盤１０の上流側には壁面工である急勾配の表のり面被覆工（コンクリート工）１１が構築され、下流側には上記したジオシンセティックス（ジオセル）からなる壁面工である緩勾配の防潮堤防の裏のり面被覆工１２が構築される。なお、この防潮堤では、表のり面被覆工（コンクリート工）１１は剛な壁面工で面状補強材（ジオグリッド等）１６と一体化されており、堤体盛土１４の盛土材が流出しない構造である。また、上流側表のり面被覆工（コンクリート工）１１と天端被覆工（コンクリート工）１５とは剛に結合されている。堤体盛土１４は面状補強材（ジオグリッド等）１６により壁面工と一体化している。また、面状補強材（ジオグリッド等）１６と裏のり面被覆工１２も一体化する。さらに、水叩き部１７の部分にもジオセルを敷設する。
【００２６】
以下、下流側の壁面工に用いられる図２に示したジオシンセティックスの他の実施例について説明する。
図４は本発明の第２実施例を示すハニカム構造体による盛土補強土壁の壁面の構築における立体ハニカム構造のジオシンセティックス（ジオセル）を複数段重ねて、盛土内に敷設される面状補強材と連結させるために、ジオテキスタイルのハトメ、もしくは格子内にＵ字筋を通したときの斜視図である。
【００２７】
この実施例では、厚さ１５ｃｍ〜２０ｃｍ（基本的には１５ｃｍ）のジオセル２１，２１′を複数段に重ねて、その上下のジオセルの間にジオテキスタイル２３を敷設する（基本的にはＲＲＲ−Ｂ工法の基本層厚とする）。なお、ジオテキスタイル２３のハトメ（図示なし）もしくは格子内にＵ字筋（図示なし）を通して、ジオテキスタイルとジオセルを一体化する。
【００２８】
図５は本発明の第３実施例を示すハニカム構造体による盛土補強土壁の壁面の構築における立体ハニカム構造のジオシンセティックス（ジオセル）に、あらかじめ開けておいた孔に縦および横方向の両方向に鉄筋類を挿入し、図４記載のＵ字筋と連結させたときの斜視図である。
この実施例では、第２実施例のジオシンセティックス（ジオセル）に対し、さらに上下鉄筋３１，３１′をＵ字筋３２のような形状の鉄筋で固定する。すなわち、上下２段のセル列の中には上下鉄筋３１，３１′を通して、その２本の上下鉄筋３１，３１′をＵ字筋３２で固定する。さらに一体化効果を高めるには後部セル列３５側に縦筋（Ｄ１６ｍｍ〜１９ｍｍ程度）３４を挿入する。一体化を高めるには後ろ２列の後部セル列３５，３６共に同様の方法を採用する。
【００２９】
また、後ろの２列の後部セル列３５，３６にはコンクリート３７を充填する。
図６は本発明の第４実施例を示すハニカム構造体による盛土補強土壁の壁面の構築における立体ハニカム構造のジオシンセティックス（ジオセル）の中詰め材として植生土のうを用いた場合に越流波によって剥ぎとられないように図５記載の鉄筋類に巻き込むときの斜視図、図７は本発明の第４実施例を示す裏のり面被覆工の所定ののり勾配を形成するために上部ジオセルをセットバックさせた状態を示す斜視図である。
【００３０】
この実施例では、図５における前面のセル列３８，３８′に植生土のう４０、もしくは種子混入ポーラスコンクリートを充填する。植生土のうの場合は、図６に示すように、植生土のう４０が剥ぎ取られないように鉄筋３９に巻き込む形で充填する。
そこで、図７に示すように、堤体盛土（図示なし）、５６０〜７５０ｍｍ程度のコンクリート壁４２、緑化体４３（植生土のう又は種子混入ポーラスコンクリート）が一体化される。裏のり面被覆工勾配は、図７に示すように、上部の前面のジオセルをセットバック（後退）して形成する。
【００３１】
また、図３に示される下流側の裏のり面被覆工の水叩き部１７にもジオセルを延長して敷設し、洗掘を防止するように構成する。
さらに、図３に示される水叩き部１７のジオセルの固定方法は、図８に示すように、頭部処理をした１つのセル５１、もしくは周辺のセル５２，５３を一体化して、アンカー（図示なし）で基礎地盤１０（図３参照）に固定する。なお、頭部処理としては、複数枚の押圧板をナットで締結するようにする。
【００３２】
図９は本発明の第５実施例として裏のり面の勾配が緩い場合にのり面に沿ってジオセルを敷設する場合の面状補強材との連結方法の斜視図である。複数枚の押圧プレートとナットで構成される頭部処理工とジオテキスタイル側からのＴ字バー等をＵ字バー等をＵ字クリップ等で固定する場合の斜視図である。
裏のり面に添ってジオセル６１を敷設する場合のジオテキスタイル６２との一体化法は、一本の鉄筋の場合はＴ字型バー、２本の鉄筋の場合は鉄板に鉄筋を溶着した形式の物をジオセル６１側から挿入し、ジオテキスタイル６２側からそれとジオセル６１内でＵ字クリップ６３等で固定する。なお、ジオテキスタイル６２の端部６４は裏のり面被覆工側に延長しておく。
【００３３】
本発明によれば、上記したように、
（１）補強材と三面張りの壁面工を一体化させることによって堤体盛土の盛土材が流出しない構造とする。また、堤体盛土を多層の面状補強材によって補強することにより、耐震性を高めると同時に、長期に亘る堤体盛土の盛土材の吸い出しと越流による浸食に対して抵抗できるようにする。
（２）同様に、越流した津波が下流側（陸側）の裏のり面被覆工を急速に流下する際に生じる強烈な揚力により、堤体盛土に固定されていない天端被覆工（コンクリート工）と下流側裏のり面被覆工（コンクリート工）が剥ぎ取られないように堤体盛土と一体化する。
【００３４】
具体的に、三面張りのコンクリートと堤体盛土とを一体化する方法は、下記の通りとする。
壁面工が急勾配の場合には、現在、ＲＲＲ−Ｂ工法で採用している仮抑え材に「土のう」や溶接金網をＬ型に加工した「Ｌ型溶接金網」を用いて裏型枠を使用しないでコンクリートを打設して躯体とジオグリッドを一体化する方法とする。
【００３５】
裏のり面被覆工勾配が緩い場合には、以下のような具体的施工例が考えられる（基本的な連続したジオセル内で盛土補強材と防潮堤防の張りコンクリートを一体化すると共に、その前面に緑化機能を付随させる構造体とする）。
（ア）ジオセルの水平方向に補強鉄筋類等を通すための孔を開ける、もしくはジオセル上部に溝を構築し、その孔、もしくは溝に防錆加工を施した補強鉄筋類等を通すことによって連続したジオセル構造体を構成する。
【００３６】
（イ）防錆加工を施した補強鉄筋類等は水平、もしくは格子状に設置することで、連続体として機能することを特徴とする。
（ウ）ジオグリッドの外周部（耳部分）に設置されている補強穴（ハトメ）にＵ字型鉄筋を通し、Ｕ字型鉄筋類と先にジオセル内に設置した水平、もしくは格子状の鉄筋類とを結束線等で結合する。
【００３７】
（エ）緩勾配の堤体盛土裏のり面被覆工に連続したジオセルを敷設する場合には、水平に敷設されたジオテキスタイルを裏のり面に長さ３０ｃｍほど延長し、ジオセル内に水平、もしくは格子状に設置されている鉄筋類に両サイドからＴ字バーを挿入してジオテキスタイルとジオセルを一体化する。２つのＴ字バーはＵクリップ等で固定する。
なお、従来のＲＲＲ−Ｂ工法と同様に、土のう、もしくは溶接金網を巻き込む形式とする場合には、裏のり面被覆工勾配に合わせて雛壇式にセットバックしながら、また、溶接金網の場合は前面勾配を裏のり面勾配に合わせた形状とし標準層厚３０ｃｍを基本とする。
【００３８】
（オ）堤体の天端被覆加工もジオセルを敷設してコンクリートを充填する方法と同様の形式を採用するとともに、下流側の堤体裏のり面被覆工の尻部に敷設する水叩き部も同様の方法とする。
ただし、水叩き部のジオセルの固定法はアンカータイプとする。
（カ）ジオセルは、防潮堤防の裏のり面被覆工勾配に合わせて上部のジオセルを設置していくが、設置したジオセルの堤体盛土背面側のセル内、および先に設置したＵ字型鉄筋を用いて結合したグリッド敷設部にはコンクリート、もしくはポーラスコンクリートを打設する。
【００３９】
（キ）防潮堤の裏のり面被覆工勾配に合わせて、上部ジオセル前面を所定の寸法でセットバックさせ、コンクリートを打設したセル以外（前面部）には、裏のり面緑化を目的に植物の生育が可能なように、植生土のうの充填、もしくは土砂混合体を注入充填する。
（ク）植生土のうで充填する場合には、越流波によって土のうが剥ぎ取られないように、水平、もしくは格子状に設置した補強鉄筋類等に土のうを巻きつける。
【００４０】
なお、本発明は上記実施例に限定されるものではなく、本発明の趣旨に基づき種々の変形が可能であり、これらを本発明の範囲から排除するものではない。
【産業上の利用可能性】
【００４１】
本発明のジオシンセティック補強盛土工による河川・海岸用耐震・耐津波防潮堤の構築方法は、連続したハニカム構造のセル構造体と面状補強材を用いたジオシンセティック補強盛土工を下流側裏のり面工に用いる河川・海岸用耐震・耐津波防潮堤の構築方法として利用可能である。
【符号の説明】
【００４２】
１    立体ハニカム構造体であるジオシンセティックスのジオセル
２    ジオセルの水平方向に開けられた孔
３    鉄筋類
１０    基礎地盤
１１    表のり面被覆工
１２    裏のり面被覆工
１４    堤体盛土
１５    天端被覆工
１６    面状補強材（ジオグリッド）
１７    水叩き部
２１，２１′，６１  ジオセル
２３，６２    ジオテキスタイル
３１，３１′    上下鉄筋
３２    Ｕ字筋
３４    縦筋
３５，３６    後部セル列
３７    コンクリート
３８，３８′    前面のセル列
３９    鉄筋
４０    植生土のう
４２    コンクリート壁
４３    緑化体
５１    頭部処理をした１つのセル
５２，５３    周辺のセル
６３    Ｕ字クリップ
６４    ジオテキスタイルの端部
【図１】
2014091915.tif 000003
【図２】
2014091915.tif 000004
【図３】
2014091915.tif 000005
【図４】
2014091915.tif 000006
【図５】
2014091915.tif 000007
【図６】
2014091915.tif 000008
【図７】
2014091915.tif 000009
【図８】
2014091915.tif 000010
【図９】
2014091915.tif 000011
【図１０】
2014091915.tif 000012
【図１１】
2014091915.tif 000013
【図１４】
2014091915.tif 000014
【図１５】
2014091915.tif 000015
【図１６】
2014091915.tif 000016
【図１７】
2014091915.tif 000017
【図１２】
2014091915.tif 000018
【図１３】
2014091915.tif 000019